(57)【要約】【課題】着火材を線香束の端面に対し着脱可能に対置すると共に、線香束端部への着火性能を向上した線香束着火具を提供する。【解決手段】線香束１の端面に脱脂綿から成る着火材２を対置し、該着火材２に支持脚３を設け、該支持脚３を線香束１の端面から線香束１内部へ抜き差し可に挿入して着火材２を線香束１に支持し上記対置状態を形成すると共に、上記支持脚３にストッパー８を設け、該ストッパー８を線香束１端面に当接して酸素供給間隙７を形成する構成とした線香束着火具。【選択図】        図１
2005015242.tif 000002
【特許請求の範囲】
【請求項１】
線香束の端面に対置される着火材を備え、該着火材を線香束の端面から線香束内部へ抜き差し可に挿入される支持脚を以って線香束に支持する構成としたことを特徴とする線香束着火具。
【請求項２】
線香束の端面に対置される着火材を備え、該着火材を線香束結束帯の内側へ抜き差し可に挿入される支持脚を以って線香束に支持する構成としたことを特徴とする線香束着火具。
【請求項３】
線香束の端面に対置される着火材を備え、該着火材から延びる支持脚と該支持脚の端部に設けた切欠リングを備え、該切欠リングを線香束の端部周面に嵌脱可に嵌合して上記着火材を線香束に支持する構成としたことを特徴とする線香束着火具。
【請求項４】
上記着火材が棉材から成ることを特徴とする請求項１又は２又は３記載の線香束着火具。
【請求項５】
上記支持脚に線香束の端面に当接して該端面と着火材の内面間に間隙を形成するストッパーを設けたことを特徴とする請求項１又は２又は３記載の線香束着火具。
【発明の詳細な説明】
【０００１】
【発明の属する技術分野】
本発明は線香束の端部に着火するための線香束着火具に関する。
【０００２】
【従来の技術】
特許文献１、２は、線香束の端部周面に着火用紙を巻回して線香束の端面から突出する部分を偏平に圧潰した形態にし、マッチ等により着火用紙に点火することにより線香束の端部に着火せしめる着火手段を開示している。
【０００３】
【特許文献１】
特開平１０−２１８７５１号公報
【０００４】
【特許文献２】
特開２０００−８６４７９号公報
【０００５】
【発明が解決しようとする課題】
然しながら上記着火手段においては、着火用紙が線香束の端部を帽子状に覆うので、該帽子状の着火用紙が先行して焼失してしまい、線香束端部への着火が充分に行い難く、殊に線香束の端面中央部には着火しない恐れを有している。
【０００６】
又線香束の端面に特許文献２に例示するもぐさ等の着火材又は硝酸カリウム、燐、硫黄等の点火剤を密着する方法を採った場合にも、これら着火材や点火剤と線香束の密着界面への酸素供給が充分ではないため、同界面における活性な燃焼を得難く、同様に線香束の端面中央部への着火不全を招来する。
【０００７】
又もぐさでは着火時間が比較的長くかかり、他方上記硝酸カリウム、燐、硫黄等の点火剤では瞬時に燃焼してしまい、比較的着火し難い材質から成る線香束端部を均一に着火することは困難である。
【０００８】
【課題を解決するための手段】
本発明は上記問題点を適切に解決する線香束着火具を提供するものであり、この着火具は線香束の端面に対置される着火材を、線香束の端面から線香束内部へ抜き差し可に挿入される支持脚を以って線香束に支持する構成とした。
【０００９】
上記線香束着火具は支持脚の挿抜によって線香束に容易に着脱でき、支持脚を線香束の結束力によって捕捉し、着火材を上記対置状態に安定に支持できる。
【００１０】
加えて支持脚の挿入深さにより着火材を線香束端面から浮かし支持して酸素供給に必要な間隙を形成することが自在に行え、これにより着火材の線香束端面における活性な燃焼を促し、線香束端面への均一な着火を図ることができる。
【００１１】
又支持脚を深く挿入して着火材を線香束の端面に接触させたとしても、隙間や不陸が存する線香束端面との単なる接触であるから、線香束の各線香の端末を通じての同接触界面への酸素供給路が確保され、燃焼を促進できる。
【００１２】
上記着火材としては脱脂綿に代表される棉材が適性である。この棉材はマッチやライター等による着火が容易で充分な燃焼時間を確保でき、植物に由来するものであるから有害ガスを発生しない。又脱脂綿は焼却灰を殆ど発生せず、又風によっても火の粉が飛ばず安全である。
【００１３】
又他例として、上記棉材に代表される着火材を線香束結束帯の内側へ抜き差し可に挿入される支持脚を以って上記線香束に支持し、上記対置状態を形成する構成とした。
【００１４】
上記と同様、上記線香束着火具は支持脚の結束帯内側への挿抜によって線香束に容易に着脱でき、支持脚を結束帯の結束力によって捕捉し、着火材を上記対置状態に安定に支持できる。
【００１５】
加えて支持脚の結束帯内側への挿入深さによって着火材を線香束端面から浮かし支持して酸素供給に必要な間隙を形成することが自在に行え、これにより着火材の線香束端面における活性な燃焼を促すことができる。
【００１６】
又支持脚を結束帯内側へ深く挿入して着火材を線香束の端面に接触させたとしても、隙間や不陸が存する線香束端面との単なる接触であるから、線香束の各線香の端末を通じての同接触界面への酸素供給路が確保され、燃焼を促進できる。
【００１７】
又他例として、上記棉材等から成る着火材から延びる支持脚の端部に切欠リングを設け、該切欠リングを線香束の端部周面に嵌脱可能に嵌合して上記着火材を線香束に支持し、上記対置状態を形成する構成とした。
【００１８】
前記と同様、上記線香束着火具は切欠リングの嵌脱によって線香束に容易に着脱でき、切欠リングの開閉弾性によって線香束の端部を捕捉し、着火材を上記対置状態に安定に支持できる。
【００１９】
加えて切欠リングの嵌合深さによって着火材を線香束端面から浮かし支持して酸素供給に必要な間隙を形成することが自在に行え、これにより着火材の線香束端面における活性な燃焼を促すことができる。
【００２０】
又切欠リングを線香束端部に深く嵌合して着火材を線香束の端面に接触させたとしても、隙間や不陸が存する線香束端面との単なる接触であるから、線香束の各線香の端末を通じての同接触界面への酸素供給路が確保され、燃焼を促進できる。
【００２１】
上記各例における支持脚には線香束の端面に当接して該端面と着火材の内面間に酸素供給を促す間隙を形成するストッパーを設け、線香束端面と着火材間に酸素供給用間隙を確保し得るようにする。
【００２２】
【発明の実施の形態】
以下本発明に係る線香束着火具の実施の形態を図１乃至図４に基づき説明する。
【００２３】
図１Ａ，Ｂに示す着火具は線香束１の端面に対置される着火材２を備え、該着火材２を線香束１の端面から線香束１内部へ抜き差し可に挿入される支持脚３を以って線香束１に支持する構成を有する。
【００２４】
上記着火材２は脱脂綿に代表される棉を線香束１の端面と略同一直径の円盤形に付形し、該着火材２の線香束１端面との対向面にろう紙、油紙等の点火紙４を貼付する。又は同対向面に前記燐、硫黄等の点火剤層を形成する。この点火紙４や点火剤層は着火材２の均一な燃焼を促し、棉から成る着火材２の形状を保形する役目も兼ねる。
【００２５】
又上記支持脚３は、例えば先端を尖らせた細長いピン５を用い、該ピン５を着火材２の中心部に貫挿し、ピンヘッド６を着火材２の外表面に当接し、着火材２の内表面の中心部から突出する支持脚部分を線香束１の中心部内に挿入し、上記対置状態を形成する。
【００２６】
この支持脚３は金属又は木等の天然素材を用いる。天然素材の場合、それ自身が燃焼し、これにろう材を塗布して置くことにより燃焼性を高めることができる。
【００２７】
上記支持脚３には、線香束１の端面と着火材２間に介在されて酸素供給間隙７を形成するストッパー８を設ける。
【００２８】
例えば、上記ピン５に代表される支持脚３の局部を偏平に潰すか、又は局部を太径にするか、若しくは局部を屈曲して内側へ突出する突片を形成し、これを上記ストッパー８とし、上記支持脚３を線香束１に一定量差し込んだ時に、該ストッパー８が線香束１の端面に当接し、該線香束１端面と着火材２内面間に上記間隙７を形成する。
【００２９】
上記線香束着火具は線香束１の端面中心部から内部へ支持脚３を挿抜することによって線香束１に容易に着脱でき、支持脚３を線香束１の結束力によって捕捉し、着火材２を上記対置状態に安定に支持できる。
【００３０】
加えてストッパー８の有無に拘わらず、支持脚３の線香束１内への挿入深さにより着火材２を線香束１端面から浮かし支持して酸素供給に必要な間隙７を形成することが自在に行え、これにより着火材２の線香束１端面における活性で均一な燃焼を促し、線香束１端面への均一な着火を図ることができる。
【００３１】
又図４に示すように、線香束１の各線香１′の端末は比較的不揃いであり、各線香１′の端末間に不陸や隙間を生成している。よってストッパー８を設けずに支持脚３を深く挿入して着火材２を線香束１の端面に接触させたとしても、上記隙間や不陸が存する線香束１端面との単なる接触であるから、線香束１の各線香の端末を通じての同接触界面への酸素供給路が確保され、燃焼を促進できる。
【００３２】
上記着火材２としては脱脂綿に代表される棉材が適性である。この棉材はマッチやライター等による着火が容易で充分な燃焼時間を確保できると共に、棉材自身が多空隙構造であるので内部への酸素導入が図れ、燃焼性も良好である。
【００３３】
又植物に由来するものであるから有害ガスを発生しない。殊に脱脂綿は焼却灰を殆ど発生せず、又風によっても火の粉が飛ばず安全である。
【００３４】
又他例として図２Ａ，Ｂに示すように、上記棉材に代表される着火材２を線香束結束帯９の内側へ抜き差し可に挿入される支持脚３を以って上記線香束１に支持し、上記対置状態を形成する構成とした。
【００３５】
上記着火材２は脱脂綿に代表される棉を線香束１の端面と略同一直径の円盤形に付形し、該着火材２の線香束１端面との対向面にろう紙、油紙等の点火紙４を貼付する。又は同対向面に前記燐、硫黄等の点火剤層を形成する。この点火紙４や点火剤層は着火材２の均一な着火を図ると共に、棉から成る着火材２の形状を保形する役目も兼ねる。
【００３６】
上記支持脚３を着火材２に一体構造とする手段として、一端に切欠リング１０を一体に設け、該切欠リング１０を着火材２の外周面に嵌合し、換言すると、切欠リング１０内に着火材２を捕捉せしめ、実施に応じ接着剤等を介して切欠リング１０と着火材２とを結合する。
【００３７】
そして切欠リング１０から上記支持脚３を延ばし、結束帯９内側へ挿入する。この切欠リング１０を有する支持脚３は板材をＴ形に打ち抜き、曲げ加工することにより形成できる。打ち抜き時に支持脚３の先端を尖らせる。
【００３８】
この支持脚３と切欠リング１０は金属又は木等の天然素材を用いることができるが、切欠リング１０を加工する場合、金属材が適当である。
【００３９】
上記切欠リング１０は図１に示すピン５に代表される支持脚３の端部に一体に設け、着火材２を該切欠リング１０に捕捉せしめる場合を含む。
【００４０】
又前記と同様、支持脚３の局部にストッパー８を設けることができる。例えば、このストッパー８として、切欠リング１０に近い支持脚３の局部から内側へ突出する突片を設け、該突片を線香束１の端面と着火材２間に介在して酸素供給間隙７を形成する。該ストッパー８は支持脚３を結束帯９に一定量差し込んだ時に、線香束１の端面に当接し、該線香束１端面と着火材２内面間に上記間隙７を形成する。
【００４１】
上記線香束着火具は支持脚３の結束帯９内側への挿抜によって線香束１に容易に着脱でき、支持脚３を結束帯９の結束力によって捕捉し、着火材２を上記対置状態に安定に支持できる。
【００４２】
加えてストッパー８の有無に拘わらず、支持脚３の結束帯９内側への挿入深さによって着火材２を線香束１端面から浮かし支持して酸素供給に必要な間隙７を形成することが自在に行え、これにより着火材２の線香束１端面における活性な燃焼を促すことができる。
【００４３】
又図４に示すように、ストッパー８を設けずに、支持脚３を結束帯９内側へ深く挿入して着火材２を線香束１の端面に接触させたとしても、隙間や不陸が存する線香束１端面との単なる接触であるから、線香束１の各線香１′の端末を通じての同接触界面への酸素供給路が確保され、燃焼を促進できる。
【００４４】
又他例として図３Ａ，Ｂに示すように、上記棉材等から成る着火材２から延びる支持脚３の一端に切欠リング１１を設け、該切欠リング１１を線香束１の端部周面に嵌脱可能に嵌合して上記着火材２を線香束１に支持し、上記対置状態を形成する構成とした。
【００４５】
前記と同様、上記着火材２は脱脂綿に代表される棉を線香束１の端面と略同一直径の円盤形に付形し、該着火材２の線香束１端面との対向面にろう紙、油紙等の点火紙４を貼付する。又は同対向面に前記燐、硫黄等の点火剤層を形成する。この点火紙４や点火剤層は着火材２の均一な着火を図ると共に、棉から成る着火材２の形状を保形する役目も兼ねる。
【００４６】
又上記支持脚３を着火材２に一体構造とする手段として、支持脚３の他端に第二の切欠リング１０を一体に設け、該切欠リング１０を着火材２の外周面に嵌合し、換言すると、切欠リング１０内に着火材２を捕捉せしめ、実施に応じ接着剤等を介して切欠リング１０と着火材２とを結合する。
【００４７】
そして切欠リング１０から上記支持脚３を延ばし、該支持脚３の端部に形成した上記切欠リング１１を線香束１端部周面に嵌合する。この切欠リング１０，１１を有する支持脚３は板材をＨ形に打ち抜き、曲げ加工することにより形成できる。
【００４８】
この支持脚３と切欠リング１０、１１は金属又は木等の天然素材を用いることができるが、切欠リング１０、１１を加工する場合、金属材が適当である。
【００４９】
又前記と同様、支持脚３の局部にストッパー８を設けることができる。例えば、このストッパー８として、切欠リング１０に近い支持脚３の局部から内側へ突出する突片を設け、該突片を線香束１の端面と着火材２間に介在して酸素供給間隙７を形成する。該ストッパー８は切欠リング１１を線香束１の端部に一定量嵌合した時に線香束１の端面に当接し、該線香束１端面と着火材２内面間に上記間隙７を形成する。
【００５０】
前記と同様、上記線香束着火具は切欠リング１１の嵌脱によって線香束１に容易に着脱でき、切欠リング１１の開閉弾性によって線香束１の端部を捕捉し、着火材２を上記対置状態に安定に支持できる。
【００５１】
加えて切欠リング１１の嵌合深さによって着火材２を線香束１端面から浮かし支持して酸素供給に必要な間隙７を形成することが自在に行え、これにより着火材２の線香束１端面における活性な燃焼を促すことができる。
【００５２】
又ストッパー８を設けずに、切欠リング１１を線香束１端部に深く嵌合して着火材２を線香束１の端面に接触させたとしても、隙間や不陸が存する線香束１端面との単なる接触であるから、線香束１の各線香１′の端末を通じての同接触界面への酸素供給路が確保され、燃焼を促進できる。
【００５３】
上記各例における着火材２として脱脂綿等の棉材を用いる場合、該棉材にろう材等の油脂材から成る助燃剤を含浸せしめる場合を含む。このろう材等の油脂材は含浸して固化せしめることにより、棉材の形状を保形することができる。
【００５４】
上記各例における線香束１はその端部に前記の方法で着火材２を対置した後、該着火材２にマッチやライター等で点火し、該着火材２を下に向けて燃焼を促すと、該着火材２自身の多空隙構造と前記間隙７からの酸素導入により活性に燃焼し、該燃焼炎又は燃焼熱が線香束１端面に作用し、着火を促す。
【図面の簡単な説明】
【図１】Ａは線香束着火具の第一実施形態を示す縦断面図、Ｂは同正面図。
【図２】Ａは線香束着火具の第二実施形態を示す側面図、Ｂは同正面図。
【図３】Ａは線香束着火具の第三実施形態を示す側面図、Ｂは同Ａ−Ａ線断面図。
【図４】着火具を線香束端面に当接して対置した状態を示す拡大側面図。
【符号の説明】
１…線香束、１′…線香、２…着火材、３…支持脚、４…点火紙、５…ピン、６…ピンヘッド、７…間隙、８…ストッパー、９…線香束結束帯、１０…切欠リング、１１…切欠リング
【図１】
2005015242.tif 000003
【図２】
2005015242.tif 000004
【図３】
2005015242.tif 000005
【図４】
2005015242.tif 000006